(57)【特許請求の範囲】
【請求項１】
飲料抽出装置で抽出されたコーヒー、紅茶、お茶等の飲料液を貯留する液体貯留容器（１）であって、上端広口、下端細口の一重の内容器（２）と、内容器（２）の底部の下端細口周りにリング状に張設し、内容器（２）内の飲料液を加温する保温ヒータ（７）と、
この内容器（２）の胴部及び肩部とを囲んだ外装体（３）と、内容器（２）の底面を残して外装体（３）下端に装着する底板（４）と、外装体（３）と内容器（２）との隙間及び内容器（２）の保温ヒータ（７）当接部分を除く底面外側部分と底板（４）との隙間に充填する発泡性断熱材（５）と、外装体（３）下端面に着脱自在に装着し、前面空間を有する台座（６）と、外装体（３）の肩部の中央に螺着し、内容器（２）の上端広口を開閉する蓋体（８）と、蓋体（８）の下端より内容器（２）内底部中央に垂下する流出パイプ（９）と、蓋体（８）の中央を上下に貫通し、この貫通路（２０）を開閉自在とし、貫通路（２０）の下端と流出パイプ（９）とを連通し、外装体（３）の肩部前面で操作し、内容器（２）の下端細口と連通して内容器（２）内の飲料液を素早く台座（６）の前面上方より自然落下式に注出する注出機構（１０）と、内容器（２）の液量を表示する液量表示機構（１１）とを設けていることを特徴とした液体貯留容器。
【発明の詳細な説明】
【０００１】
【発明の属する技術分野】
本発明は飲料抽出装置で抽出されたコーヒー、紅茶、お茶等の飲料液を貯留する液体貯留容器に関するものである。
【０００２】
【従来の技術】
従来、飲料抽出装置で抽出されたコーヒー、紅茶、お茶等の飲料液を貯留する業務用の液体貯留容器としては、把手を備えた有底筒状の耐熱性ガラスによる一重容器が存在する。
この抽出され飲料液を貯留した液体貯留容器は、通常保温ヒータを備えた台座上に配置しておき、必要に応じて台座上より把手を持ち上げ、コップ等の受器上に液体貯留容器を傾け、受器に注ぎ注ぎ終えると又台座上に設置していた。
【０００３】
【発明が解決しようとする課題】
ところが、この種の液体貯留容器では、保温ヒータを備えた台座上と接する底部以外の胴部や胴部上方が外気と直接接触していたために、飲料抽出装置で抽出された初期の飲料液は熱く、香り、味共に良好であるが、次第に外気と接触した胴部や胴部上方より液体貯留容器内の熱を放出するので、常時、保温ヒータを備えた台座上に載置し保温ヒータをＯＮの状態に維持し続けなければならなかった。それ故に、液体貯留容器内の飲料液の水分を蒸発させると共に香りをも逃がすこととなっていた。
【０００４】
そして、液体貯留容器内に貯留されて長期保存すると、保温性は確保されても、香りをなくし味も変化して、香り、味の悪い飲料液となるという問題点があった。
又、常時台座上に載置し保温ヒータをＯＮの状態に維持し続けなければならず、光熱費の大幅な増大となるという問題点もあった。
【０００５】
更に又、コーヒー、紅茶、お茶等の冷たい飲料液を必要とする際には、この耐熱性ガラスによる一重容器の液体貯留容器内に氷の塊を入れて冷やしていたが、保冷性のない一重容器であったために初期は冷たいコーヒー、紅茶、お茶等の飲料液であっても、次第に常温に近づいて生温い飲料液となって、長期的に冷たい飲料液を保持することが困難であるという問題点もあった。
【０００６】
そこで、本発明はこのような従来の液体貯留容器が有していた課題を解決したものであって、消費電力を極力抑えると共に長期にわたって暖かく、あるいは冷たく両保温性に優れ、香り、味を変えることなく飲み心地の良い飲料液を得る液体貯留容器を提供するにある。
【０００７】
【課題を解決するための手段】
上記目的を達成するために、本発明の飲料抽出機用の保温容器は、飲料抽出装置で抽出されたコーヒー、紅茶、お茶等の飲料液を貯留する液体貯留容器１であって、上端広口、下端細口の一重の内容器２と、内容器２の底部の下端細口周りにリング状に張設し、内容器２内の飲料液を加温する保温ヒータ７と、この内容器２の胴部及び肩部とを囲んだ外装体３と、内容器２の底面を残して外装体３下端に装着する底板４と、外装体３と内容器２との隙間及び内容器２の保温ヒータ７当接部分を除く底面外側部分と底板４との隙間に充填する発泡性断熱材５と、外装体３下端面に着脱自在に装着し、前面空間を有する台座６と、内容器２の底部の下端細口周りにリング状に張設し、内容器２内の飲料液を加温する保温ヒータ７と、外装体３の肩部の中央に螺着し、内容器２の上端広口を開閉する蓋体８と、蓋体８の下端より内容器２内底部中央に垂下する流出パイプ９と、蓋体８の中央を上下に貫通し、この貫通路２０を開閉自在とし、貫通路２０の下端と流出パイプ９とを連通し、外装体３の肩部前面で操作し、内容器２の下端細口と連通して内容器２内の飲料液を素早く台座６の前面上方より自然落下式に台座６の前面上方より注出する注出機構１０と、内容器２の液量を表示する液量表示機構１１とを設けてなる構成としている。
【０００８】
【発明の実施の形態】
以下、本発明の実施例について図に基づき説明する。
図中、図１は本発明実施例の正面図、図２は本発明実施例の中央縦断面図、図３は本発明実施例の外装体上部を示す一部断面図、図４は本発明実施例の内容器底部を示す一部断面図である。
【０００９】
液体貯留容器１は上端広口、下端細口の内容器２と、この内容器２の胴部及び肩部とを囲んだ外装体３と、内容器２の底部を残して外装体３下端に装着する底板４と、外装体３と内容器２と底板４との隙間に充填する発泡性断熱材５と、外装体３下端面に着脱自在に装着し、前面空間を有する台座６と、内容器２の底部の下端細口周りにリング状に張設し、内容器２内の飲料液を加温する保温ヒータ７と、外装体３の肩部の中央に螺着し、内容器２の上端広口を開閉する蓋体８と、蓋体８の下端より内容器２内底部中央に垂下する流出パイプ９と、内容器２内の飲料液を外部に注出する注出機構１０と、内容器２内の液量を表示する液量表示機構１１とから構成している。
【００１０】
内容器２は上端広口、下端細口を備えたガラス製一重瓶であって、内面壁を銀蒸着して保温効果と強靱性とを向上している。
この内容器２の上端広口は大型の氷塊が入り、又手を入れて内容器２内の掃除が十分可能な大きさに形成している。
内容器２の底面は後述の保温ヒータ７が十分当接できるようにほぼ面一に形成しており、中央の外面壁に下端細口に通じる下端筒１８を垂下している。
【００１１】
外装体３は合成樹脂材料にて内容器２の胴体を覆う胴部と、内容器２の肩体を覆う肩部とを一体形成している。
この外装体３は内容器２と間隔を隔てて設けている。この外装体３の肩部は図３に示すように、中央に段状に開口した受部１３を設け、前面に後述の注出機構１０のスイッチ３１を配置する前面窪み部１４を設けている。
【００１２】
この外装体３の受部１３の下端開口が内容器２の上端広口と連通しており、この受部１３の段状の内周側壁に後述の蓋体８の雄ネジを螺着する雌ネジを刻設している。
外装体３の底部は図４に示すように、内壁に内容器２を支えつつ装着する底板４を設け、下端面に後述の底カバー１６を介して台座６を着脱自在に装着している。
【００１３】
底板４は合成樹脂材料にてリング状に形成し、図４に示すように、中央を大きく開口して内容器２の底面を支えつつ外装体３下部内周壁に無理嵌め結合している。
この底板４を結合した後に、内容器２と外装体３との隙間及び内容器２底面と底板４との間の隙間全体にウレタン等の発泡性断熱材５を充填している。この発泡性断熱材５の充填によって、内容器底面の保温効果を十分向上することができるので、保温ヒータ７の消費電力を極力抑えながら、内容器２内の保温効果を向上することができると共に一重の内容器２の強靱性をも向上することができる。
【００１４】
底カバー６は後述の保温ヒータ７や注出機構１０の一部を取り付けた後に外装体３の下端面に底板４との間に間隔を隔てて底板４にビス止めしている。
保温ヒータ７は図４に示すように、底板４の内側にあって、直接内容器２の底面外壁にリング状に張設しており、内容器２内の飲料液を飲みやすい温度に保つための保温用のものであって、高温に加温することはない。この保温ヒータ７は液体貯留容器１の後部下方のプラグ受けからの外部電源によってＯＮ，ＯＦＦしている。
【００１５】
台座６は底カバー１５を介して外装体３下端面に着脱自在に装着しており、下端に台部１６を設け、前面部を空間としてコップ等の受器１７を台部１６に載置した状態で後述の注出機構１０の操作にて内容器２内の飲料液をこの受器１７内に注出できるようにしている。
【００１６】
外装体３の受部１３内に装着し、内容器２の上端広口を開閉する蓋体８は受部１３内の雌ネジに螺着して内容器２内を密閉する栓部１９と、栓部１９の下端中央より内容器２内の下部に垂下する流出パイプ９とからなっている。この栓部１９は中央に上下に開口した貫通路２０を設け、操作レバー２１の操作によってこの貫通路２０を開閉板２２を介して開閉自在としている。
２３は蓋体８からの放熱を防ぐための断熱材である。
【００１７】
流出パイプ９は栓部１９中央の貫通路２０と連通しており、下端を常に内容器２内の下端面中央に近づけて配置している。従って、飲料抽出装置で抽出された飲料液は蓋体８をしたまま操作レバー２１を操作して開閉板２２を開放することによって、流出パイプ９内を通り内容器２内下部に流れ落ちる。内容器２内の飲料液が溜まり完了すると、開閉板２２を閉鎖するだけでよい。
１２は液体貯留容器１を持ち運びするための把手であって、垂直に移動可能である。
【００１８】
注出機構１０は、図４に示すように、内容器２の下端の下端筒１８に連通する中空パイプ２４と、この中空パイプ２４と連通した流通路２５及び流通路２５の先端で台座６の前面空間に向けて配置した注出口２６とを備えた注出部材２７と、流通路２５を開閉する弁体２８と、外装体３の前面窪み部１４にあって操作棒２９、バネ材３０を介して弁体２８を操作するスイッチ３１と、注出部材２７下部を覆う注出カバー３２とからなっている。
これによって、内容器２内の暖かい又は冷たいコーヒー、紅茶、お茶等の飲料液は、内容器の底部から短い距離の中空パイプ２４を介して、注出口２６より自然落下式に注出されるので、中空パイプ内の滞留される飲料液が非常に少ないために、常に内容器内の飲み心地の良い飲料液を得ることができる。
【００１９】
この注出機構１０のスイッチ３１を押すと操作棒２９を降下し、バネ材３０を介して弁体２８を後方へ押しやり、流通路２５を開放して注出口２６より内容器２内と連通した流通路２５よりの飲料液を注出する。スイッチ３１を離せばバネ材３０及び弁体２８周りのバネによって、操作棒２９を押し上げ、復帰する。
【００２０】
液量表示機構１１は中空パイプ２４内に設けた小孔３３より細パイプを介して液体貯留容器１の前面中央に垂下した液量表示管に連通しており、この液量表示管内の液面を目視して内容器２内の液量を確認している。
【００２１】
このようにして、この液体貯留容器１に蓋体８を螺着したままの状態で、操作レバー２１を操作し開閉板２２を開放することによって、飲料抽出装置で抽出されたコーヒー、紅茶、お茶等の飲料液が蓋体８の上方より貫通路２０及び流出パイプ９内を通って落下、内容器２内に貯留される。ところが、この飲料液は落下時飛散泡を発生させるが流出パイプ９内だけに落下するので、内容器２内全体に飛散泡を発生させることなく流出パイプ９内だけ発生させることとなる。この飛散泡による酸化促進を極端に少なくしてコーヒー、紅茶、お茶等の飲料液の酸化促進によって味を悪くするのを防いでいる。
【００２２】
又、発泡断熱材５による内容器２内の保温効果にも優れ、内容器２の上端広口にもかかわらず、内容器２の密閉性にも優れているので、長期にわたって香り、味を良好に保有することができる。更に、内容器２の上端広口によって、掃除も容易に行うことができる。更に又、大きな氷の塊も内容器２内に挿入することもでき、密閉、保冷効果に優れているので、長期的に冷たいコーヒー、紅茶、お茶等の飲料液をおいしく味わうことができることとなる。
【００２３】
以上本発明の代表例と思われる実施例について説明したが、本発明は必ずしもこれらの実施例構造のみに限定されるものではなく、本発明にいう前記の構成要件を備え、かつ本発明にいう目的を達成し、以下にいう効果を有する範囲内において適宜改変して実施することができるものである。
【００２４】
【発明の効果】
以上の説明から既に明らかなように、本発明にいうところの飲料抽出機用の保温容器は、上端広口、下端細口の一重の内容器と、内容器の底部の下端細口周りにリング状に張設し、内容器内の飲料液を加温する保温ヒータと、この内容器の胴部及び肩部とを囲んだ外装体と、内容器の底面を残して外装体下端に装着する底板と、外装体と内容器との隙間及び内容器の保温ヒータ当接部分を除く底面外側部分と底板との隙間に充填する発泡性断熱材と、外装体下端面に着脱自在に装着し、前面空間を有する台座と、内容器の底部の下端細口周りにリング状に張設し、内容器内の飲料液を加温する保温ヒータと、外装体の肩部の中央に螺着し、内容器の上端広口を開閉する蓋体と、蓋体の下端より内容器内底部中央に垂下する流出パイプと、蓋体の中央を上下に貫通し、この貫通路を開閉自在とし、貫通路の下端と流出パイプとを連通し、外装体の肩部前面で操作し、内容器の下端細口と連通して内容器内の飲料液を素早く台座の前面上方より自然落下式に注出する注出機構と、内容器の液量を表示する液量表示機構とを設けてなる構成としているので、消費電力を極力抑えると共に長期にわたって暖かく、あるいは冷たく両保温性に優れ、香り、味を変えることなく飲み心地の良い飲料液を得るという顕著な効果を期待することが出来るに至ったのである。
【図面の簡単な説明】
【図１】本発明実施例の正面図。
【図２】本発明実施例の中央縦断面図。
【図３】本発明実施例の外装体上部を示す一部断面図。
【図４】本発明実施例の内容器底部を示す一部断面図。
【符号の説明】
１…液体貯留容器
２…内容器
３…外装体
４…底板
５…発泡断熱材
６…台座
７…保温ヒータ
８…蓋体
９…流出パイプ
１０…注出機構
１１…液量表示機構
【図１】
0003708933.tif 000002
【図２】
0003708933.tif 000003
【図３】
0003708933.tif 000004
【図４】
0003708933.tif 000005